(57)【要約】【課題】  使い勝手のよい携帯映像再生装置を提供することを目的とする。【解決手段】  上記課題を解決するため、本発明の携帯映像再生装置は、字幕信号および映像信号を含む信号を入力する入力手段と、信号から字幕信号および映像信号を抽出する抽出手段と、抽出された字幕信号から字幕を復号化し出力する字幕出力手段と、抽出された映像信号から映像を復号化し出力する映像出力手段と、ユーザによる映像を出力する動作を変更するか否かの設定を受け付ける設定手段と、を備え、映像出力手段は、設定手段により動作を変更するように設定されている場合には、字幕の出力が更新されると出力する映像を更新し、字幕の出力が更新されないと出力する映像を更新しないことを特徴とする。【選択図】  図１
2007318369.tif 000002
【特許請求の範囲】
【請求項１】
字幕信号および映像信号を含む信号を入力する入力手段と、
前記信号から、前記字幕信号および前記映像信号を抽出する抽出手段と、
前記抽出された字幕信号から字幕を復号化し出力する字幕出力手段と、
前記抽出された映像信号から映像を復号化し出力する映像出力手段と、
ユーザによる前記映像を出力する動作を変更するか否かの設定を受け付ける設定手段と、を備え、
前記映像出力手段は、前記設定手段により動作を変更するように設定されている場合には、前記字幕の出力が更新されると出力する映像を更新し、前記字幕の出力が更新されないと出力する映像を更新しないことを特徴とする携帯映像再生装置。
【請求項２】
前記映像出力手段は、前記設定手段により動作を変更するように設定されている場合には、前記映像信号のうち前記字幕の表示が出力された直後の映像を用いて更新を行うことを特徴とする請求項１に記載の携帯映像再生装置。
【請求項３】
前記映像信号には、前記映像が表示される時刻を示す時刻情報が付されており、
前記直後の映像とは、前記字幕が出力された時刻より後で前記字幕が出力された時刻に最も近い時刻を示す前記時刻情報を付された映像信号から複合化された映像であることを特徴とする請求項２に記載の携帯映像再生装置。
【請求項４】
字幕信号および映像信号を含む信号を入力する入力手段と、
前記信号から、前記字幕信号および前記映像信号を抽出する抽出手段と、
前記抽出された字幕信号から字幕を復号化し出力する字幕出力手段と、
前記抽出された映像信号から映像を復号化し出力する映像出力手段と、
ユーザによる前記映像を出力する動作を変更するか否かの設定を受け付ける設定手段と、を備え、
前記映像出力手段は、前記設定手段により動作を変更するように設定されている場合において、前記字幕の出力が更新されるか前記字幕の出力が所定の時間更新されない場合に前記映像の出力を更新することを特徴とする携帯映像再生装置。
【請求項５】
前記所定の時間とは３秒以上であることを特徴とする請求項４に記載の携帯映像再生装置。
【請求項６】
前記所定の時間とは５秒以上であることを特徴とする請求項４に記載の携帯映像再生装置。
【請求項７】
字幕信号および映像信号を含む信号を入力する入力手段と、
前記信号から、前記字幕信号および前記映像信号を抽出する抽出手段と、
前記抽出された字幕信号から字幕を復号化し出力する字幕出力手段と、
前記抽出された映像信号から映像を復号化し出力する映像出力手段と、
ユーザによる前記映像を出力する動作を変更するか否かの設定を受け付ける設定手段と、を備え、
前記映像信号には、前記映像が表示される時刻を示す時刻情報が付されており、
前記映像出力手段は、前記設定手段により動作を変更するように設定されている場合には、前記映像信号のうち、所定のタイプの映像信号であり前記字幕の出力が更新された時刻の直後の時刻を示す時刻情報を付された映像信号を用いて出力する映像を更新することを特徴とする携帯映像再生装置。
【請求項８】
前記所定のタイプの映像信号とは、ＩＤＲフレームの映像信号であることを特徴とする請求項７に記載の携帯映像再生装置。
【請求項９】
前記所定のタイプの映像信号とは、他の映像信号を参照しないで映像を再生できるタイプの映像信号であることを特徴とする請求項７に記載の携帯映像再生装置。
【請求項１０】
前記信号は、音声信号を更に含み、
前記携帯映像再生装置は、前記信号に含まれる音声信号から音声を再生する音声再生手段を備えることを特徴とする請求項１ないし９に記載の携帯映像再生装置。
【発明の詳細な説明】
【技術分野】
【０００１】
本発明は、映像を再生可能な携帯映像再生装置に関する。
【背景技術】
【０００２】
近年、携帯端末向けのデジタルテレビ放送、いわゆるワンセグ放送の開始が予定され、放送受信可能な携帯電話などの携帯端末が現れてきている。これにより、電車などの移動中であってもＴＶ放送を楽しむことができるようになってきている。
【０００３】
また、特許文献１に、放送視聴可能な端末装置が記載されている。この放送視聴端末装置は、放送信号を受信する受信手段と、前記受信手段により受信した放送信号から映像信号を抽出する抽出手段と、前記抽出手段により抽出した映像信号を復号化する復号化手段と、前記復号化手段により復号化された映像信号を表示画面に出力する出力手段と、前記抽出手段および復号化手段、出力手段を制御する制御手段と、を備え、前記制御手段は、前記抽出手段と復号化手段と出力手段とを連続的に動作させる通常放送視聴モードと、前記抽出手段と前記復号化手段と前記出力手段のうちの少なくとも一つの手段を断続的に動作させる低電力放送視聴モードを含む複数の制御モードを有していることを特徴とする。
【０００４】
【特許文献１】特開２００６−３２９９６号公報
【発明の開示】
【発明が解決しようとする課題】
【０００５】
放送受信可能な携帯端末の利用シーンを考慮すると、電車の中等、動画を見続けると乗り物酔いをしやすい場所での利用が考えられる。このような場所では、視聴によって眼にかかる負担を、可能な限り減らすことが望ましい。
【０００６】
一方、デジタル放送では、受信端末が字幕データを受信することが可能である。この字幕データの内容は、映像に関連したものが表示されることが多い。特に、電車の中で利用する場合は、大きな音声をスピーカから出力することは憚られ、字幕の内容がより重要であるといえる。しかしながら、単に映像を断続的に表示するだけでは、字幕の内容と映像が関連しない場合がある。
【０００７】
本発明は、上記課題を考慮し、使い勝手のよい携帯映像再生装置を提供することを目的とする。
【課題を解決するための手段】
【０００８】
上記課題を解決するため、本発明の携帯映像再生装置は、字幕信号および映像信号を含む信号を入力する入力手段と、前記信号から、前記字幕信号および前記映像信号を抽出する抽出手段と、前記抽出された字幕信号から字幕を復号化し出力する字幕出力手段と、前記抽出された映像信号から映像を復号化し出力する映像出力手段と、ユーザによる前記映像を出力する動作を変更するか否かの設定を受け付ける設定手段と、を備え、前記映像出力手段は、前記設定手段により動作を変更するように設定されている場合には、前記字幕の出力が更新されると出力する映像を更新し、前記字幕の出力が更新されないと出力する映像を更新しないことを特徴とする。
【発明の効果】
【０００９】
本発明によれば、使い勝手のよい携帯映像再生装置を提供することが可能となる。
【発明を実施するための最良の形態】
【００１０】
まず、携帯映像再生装置の一例として、映像表示機能を有する携帯端末のハードウェア構成を、図１を用いて説明する。なお、携帯端末１００の例としては、ＴＶ受信機能付きの携帯電話、ＴＶ受信機能付きのＰＤＡ（Personal Digital Assistant）、ＴＶ受信機能付きのゲーム機、映像再生機能付きの携帯電話、映像再生機能付きのＰＤＡ、映像再生機能付きのゲーム機等である。また、携帯端末１００は、ＰＤＡやＰＣ等に接続することによって、ＰＤＡやＰＣにＴＶ放送を受信可能とせしめるＴＶ受信チューナやＴＶ受信カードも含む。
【００１１】
入力部１０１は、例えば、ボタンやキーパッド等のユーザ入力を受け付ける装置で構成される。ＲＯＭ１０２は、プログラムやデータ等を格納する。ＲＡＭ１０３は、例えば、ＳＲＡＭやＤＲＡＭ等のメモリ装置で構成される。ＲＡＭ１０３は、プログラムやデータの保存で使用する。また、ＲＡＭ１０３はプログラムを実行する際のワーク領域等で使用する。制御部１０４は、例えばＣＰＵ等の制御装置で構成され、周辺部の制御、データの処理や通信に関わる各種プログラムの実行を行う。チューナ１０５は、アンテナ１２０から信号を受信する装置で構成される。復調部１０６は、チューナ１０５からの出力された信号の復調を行う。ＴＳデコード部１０７は、復調部１０６で復調されたトランスポートストリームパケット（以下、ＴＳパケット）の分離処理（ＤＥＭＵＸ）を行う。分離処理されたデータは、音声、映像などのデータの型により、それぞれ、音声デコード部１０８、映像デコード部１０９、字幕デコード部１１０に送られる。音声デコード１０８は、音声データを例えばＡＡＣ（Ａｄｖａｎｃｅｄ  Ａｕｄｉｏ  Ｃｏｄｉｎｇ）形式からＷＡＶＥ形式にデコードし、スピーカ１１４などに音声を出力する。映像デコード部１０９は、映像データを例えばＨ．２６４形式からＹＵＶ形式にデコードし、処理部Ａ１１１を通して映像を出力する。処理部Ａ１１１は、ＹＵＶ形式の映像データを、表示部１１５が表示できる形式に変換する。表示部１１５は、例えば、液晶ディスプレイや有機ＥＬディスプレイ等で構成され、処理部Ａ１１１により出力された映像を表示する。字幕デコード部１１０は、字幕データを例えばビットマップなどの情報にデコードする。字幕デコード部１１０でデコードされたデータは処理部Ｂ１１２を介し、映像データとともに表示部１１５に表示される。なお、本明細書において、字幕とは、字幕データに基づいて表示される字幕のことを指し、映像データに基づいて表示される映像に、画像として含まれる字幕とは別のものである。なお、復調部１０６は、ＤＳＰやＡＳＩＣ等の信号処理装置で構成される。ＴＳデコード部１０７、音声デコード部１０８、映像デコード部１０９、字幕デコード部１１０、および処理部Ａ１１１もＤＳＰやＡＳＩＣ等の信号処理装置で構成される。なお、複数の信号処理の機能を単一のＭＰＵ等に実装してもよい。バス１１３は、上記各部の接続、データの伝達を行う。
【００１２】
次に、映像を表示するモードを示す設定情報である表示モード３６０の構成について図２を用いて説明する。３６０(a)は表示モードが通常であることを示しており、３６０(ｂ)は表示モードが間引きであることを示している。表示モード３６０は、ＲＡＭ１０３に保存される。処理部Ａ１１１等がこのＲＡＭ１０３内の表示モード３６０を取得して、映像を出力する動作を変更する。なお、映像デコード部１０９がこの表示モード３６０を取得してもよい。また、制御部１０４がこの表示モード３６０を取得し、これによって処理部Ａ１１１が映像を出力する動作を変更するように制御してもよい。
【００１３】
次に、表示モードを切り替えるためのユーザからの入力を受け付ける入力部１０１について、図３を用いて説明する。
【００１４】
入力部１０１の例として、トグルボタン１０１１がある。ユーザは、トグルボタン１０１１を押すことで、「通常」と「間引き」を切り替えることができる。この場合、表示モード３６０が「通常」の状態でユーザがトグルボタン１０１１を一度押すと、表示モード３６０を「間引き」モードにする。表示モード３６０が「間引き」の状態でユーザがトグルボタン１０１１を一度押すと、表示モード３６０を「通常」モードにする。
【００１５】
また、入力部１０１の例として、スライドボタン１０１２がある。ユーザはスライドボタン１０１２をスライドさせることで「通常」と「間引き」を切り替えることができる。この場合、例えば、スライドボタン１０１２をＯＮの位置にしたときに表示モード３６０を「間引き」モードにし、ＯＦＦにしたときに表示モード３６０を「通常」モードにする。
【００１６】
トグルボタン１０１１やスライドボタン１０１２を備えることで、ユーザは携帯端末１００の、表示モードを簡易な操作により切り換えることができる。
【００１７】
なお、入力部１０１は上記ボタン限らず、例えば、ソフトウェアキー等のソフトウェア的な処理を伴った入力部を用いてもよい。この場合、具体的には、「間引き」等の文字をディスプレイに表示した上で、携帯端末に備えられている方向キーや決定キー等の操作手段によって選択し、入力を行う。
【００１８】
次に、映像の間引き表示を行う処理について説明する。間引き処理の例としては、映像を所定間隔で表示する間引き処理１、所定のタイプのフレームのみ表示する間引き処理２、字幕の更新に合わせて映像を更新する間引き処理３がある。
【００１９】
まず、間引き処理１における処理部Ａ１１１の動作例を、図４を用いて説明する。
【００２０】
間引き処理１では、処理部Ａ１１１が、表示モード３６０が「通常」であるか、「間引き」であるかを判定する（ステップ５２１）。「通常」であれば、そのまま映像データの表示処理を行う（ステップ５２５）。表示モード３６０が「間引き」の場合、現在時刻を取得する（ステップ５２２）。次に、前回の表示時刻とステップ５２２で取得した時刻を比較し、経過時間を計算し、一定時間経過したか否かを判定する（ステップ５２３）。ここで、一定時間とは例えば５秒とする。一定時間以上経過した場合、ステップ５２２で取得した時刻を前回の表示時刻として保存する（ステップ５２４）。そして、映像データの表示処理を行う（ステップ５２５）。一定時間以上経過していない場合は何もせずに処理を終了する。この場合、処理部Ａ１１１が映像データを破棄し、表示部１１５への映像の出力は更新されないこととなる。なお、処理部Ａ１１１の代わりに制御部１０４がステップ５２１にて判定を行い、その後の処理部Ａ１１１の動作を制御する構成としてもよい。
【００２１】
以上の処理により、ユーザが入力部１０１を操作し、表示モードを「間引き」にした場合は、映像の更新が一定の間隔以上となり、映像の更新の頻度を低くすることが可能となる。これにより、ユーザの見ている映像の動きが減り、乗り物酔いになりにくくすることが可能となる。なお、映像の更新間隔はユーザがメニューなどにより、例えば３秒、５秒、７秒と設定できるようにすることが望ましい。これにより、更新間隔をユーザの好みに調整できるため、ユーザの利便性がさらに向上することができる。
【００２２】
なお、間引き処理１においては、映像の間引きを行うのみで、音声、字幕の間引き処理は行わない。音声と字幕の内容により、番組の内容が把握できるので、ユーザは、眼にかかる負担を軽減させ、乗り物酔いを軽減させながらも、番組の内容を十分に楽しむことが可能となる。また、処理部Ａ１１１が出力を更新するために消費する電力を軽減することができる。
【００２３】
また、図示しない放送局が、放送するデータに、映像を間引く程度を示す付加情報を付加して送信し、放送されたデータを受信した携帯端末は、付加情報に基づいて映像を間引く程度を決定してもよい。これにより、放送側が、発信するコンテンツの性質に合わせて映像を間引く程度を決めることができる。
【００２４】
次に、フレームタイプに基づいて間引きを行う間引き処理２について説明する。
【００２５】
具体的な動作の説明の前に、映像データのフレームタイプについて、図５を用いて説明する。トランスポートストリーム３１０は複数のトランスポートストリームパケット３１１で構成される。トランスポートストリームパケット３１１は、映像データ、音声データなどを一定のサイズで分割し、多重化（ＭＵＸ）したものである。トランスポートストリーム３１０から映像データのトランスポートストリームパケット３１１aを取り出し結合すると、映像ストリーム３００ができあがる。映像ストリーム３００は、ＩＤＲフレーム３０１と、ＩＤＲ以外のフレームである非ＩＤＲフレーム３０２で構成される。ＩＤＲフレーム３０１は、そのフレーム内のデータのみで映像データを作成できるフレームであり、非ＩＤＲフレーム３０２は他のフレームを参照することで映像データを作成できるフレームである。非ＩＤＲフレーム３０２の例としては、他のフレームを参照して映像データを作成するＰフレームやＢフレームがある。
【００２６】
次に、間引き処理２における映像デコード部１０９の動作例について、図６を用いて説明する。
【００２７】
間引き処理２においては、まず、映像デコード部１０９が、表示モード３６０が「通常」であるか、「間引き」であるかを判定する（ステップ５０１）。「通常」であれば、そのまま映像データの出力処理を行う（ステップ５０３）。表示モード３６０が「間引き」の場合、映像デコード部１０９が、入力される映像ストリーム３００のフレームのタイプを判定する（ステップ５０２）。フレームのタイプがＩＤＲの場合、そのフレームのＹＵＶ形式のデータの出力を行う（ステップ５０３）。フレームのタイプが非ＩＤＲの場合、何もせずに処理を終了する。そして、非ＩＤＲフレーム３０２の映像データは破棄され、処理部Ａ１１１に入力される映像データは更新されなくなる。その結果、処理部Ａ１１１が表示部１１５に出力する映像も更新されなくなる。なお、映像デコード部１０９の代わりに制御部１０４がステップ５０１にて判定を行い、その後の映像デコード部１０９の動作を制御する構成としてもよい。また、フレームタイプを示す情報を映像デコード１０９から処理部Ａ１１１に出力する構成とすれば、一連の処理を処理部Ａ１１１にて行うことも可能である。
【００２８】
以上の処理により、ユーザがボタン入力部１０１を操作し、表示モードを「間引き」にした場合は、ＩＤＲフレーム３０１のみが表示されるようになる。その結果、映像の更新の頻度を低くすることが可能となる。
【００２９】
間引き処理２によると、映像の更新が一定の間隔以上となり、映像の更新の頻度を低くすることが可能となる。これにより、ユーザの見ている動画の動きが少なくなり、眼にかかる負担が軽減され、乗り物酔いになりにくくすることが可能となる。また、間引き処理２においては、映像の間引きを行うのみで、音声、字幕の間引き処理は行わない。音声と字幕の内容により、番組の内容が把握できるので、ユーザは、乗り物酔いを軽減させながらも、番組の内容を十分に楽しむことが可能となる。加えて、他のフレームを参照せずに映像データを作成できるフレームのみを用いて映像を作成するため、動きベクトル等の演算を行う必要が無くなり映像デコード部１０９の消費電力が軽減される。
【００３０】
なお、ＩＤＲフレームの代わりに、Iフレーム等の、他のフレームを参照しないで映像を作成できるタイプのフレームを利用してもよい。
【００３１】
次に、字幕の更新に併せて映像の更新を行う間引き処理３について説明する。
【００３２】
まず、間引き処理３における字幕データ、映像データの表示制御の一例を、図７を用いて説明する。図５と同一のものは同符号を付し説明を省略する。字幕データのトランスポートストリームパケット３１１ｂは、分離されて字幕データ３０３になるパケットである。また、ＩＤＲフレーム３０１、非ＩＤＲフレーム３０２、字幕データ３０３には、それぞれそのデータを提示すべき時刻であるＰＴＳ（Ｐｒｅｓｅｎｔａｔｉｏｎ  Ｔｉｍｅ  Ｓｔａｍｐ）が付されているものとする。通常の映像再生処理では、各データはそれぞれに付されたＰＴＳの従って映像再生処理を行う。これに対して、間引き処理３では、処理部Ｂ１１２が字幕データを時刻７０１に出力すると、処理部Ａが時刻７０１よりその直後の時刻７０２に表示すべきＰＴＳを付された映像フレーム３０２aから作成された映像を表示する、その一方、時刻７０３に表示すべきＰＴＳを付された映像フレーム３０２ｂや映像フレーム３０２cの映像は表示されない。
【００３３】
次に、字幕と映像の更新のタイミングを合わせるためのデータある、表示管理データについて図８を用いて説明する。表示管理データ３５０は、字幕表示時刻３５１と表示フラグ３５２で構成する。この字幕表示時刻３５１は字幕データ３０３に付されたＰＴＳから取得する。表示フラグは「セット」または「リセット」である。例えば、「セット」を１、「リセット」を０と表現すればよい。なお、表示管理データ３５０は、ＲＡＭ１０３に保存する。
【００３４】
次に、処理部Ｂ１１２における字幕提示処理の動作について、図９を用いて説明する。
【００３５】
字幕提示処理では、まず、字幕データ３０３をデコードする（ステップ５３１）。次に、デコードした字幕データ３０３の表示時刻ＰＴＳを表示管理データ３５０の字幕表示時刻３５１に保存する（ステップ５３２）。次に、表示管理データ３５０の表示フラグ３５２を「セット」状態にする（ステップ５３３）。
【００３６】
次に、間引き処理３における処理部Ａ１１１の動作例について、図１０を用いて説明する。
【００３７】
間引き処理３では、まず、処理部Ａ１１１が表示モード３６０が「通常」であるか、「間引き」であるかを判定する（ステップ５１１）。「通常」であれば、そのまま映像データの表示処理を行う（ステップ５１５）。表示モード３６０が「間引き」の場合、表示管理データ３５０の表示フラグ３５２が「セット」であるか、「クリア」であるかを判定する。「クリア」の場合、何もせずに処理を終了する。この場合、映像データは破棄され、表示部１１５に表示されている映像が保持されることになる。「セット」の場合、これから表示を行う映像データの表示時刻ＰＴＳが、表示管理データ３５０の字幕表示時刻３５１を経過しているか、否かを判定する（ステップ５１３）。表示を行う映像データの表示時刻ＰＴＳが、表示管理データ３５０の字幕表示時刻３５１を経過していない場合、何もせずに処理を終了する。この場合、映像データは破棄され、処理部Ａ１１１が表示部１１５に表示する映像は更新されない。表示を行う映像データの表示時刻ＰＴＳが、表示管理データ３５０の字幕表示時刻３５１を経過している場合、表示管理データ３５０の表示フラグ３５２を「クリア」状態にする（ステップ５１４）。その後、映像データの表示処理を行う（ステップ５１５）。なお、処理部Ａ１１１の代わりに制御部１０４がステップ５１１にて判定を行い、その後の処理部Ａ１１１の動作を制御する構成としてもよい。
【００３８】
以上の処理により、ユーザが入力部１０１を操作し、表示モードを「間引き」にした場合は、字幕の表示が更新された直後のフレームの映像が表示される。一般的に映像フレームと映像フレームの間隔は非常に短いので、利用者は、字幕が更新されるタイミングで映像が更新されるように認識することとなる。これにより、映像の更新の頻度を押さえることができる。なお、間引き処理３においても、映像の間引きを行うのみで、音声と字幕の間引き処理は行わない。
【００３９】
間引き処理３によると、ユーザの見ている映像は静止画に近くなり、眼にかかる負担を軽減し、乗り物酔いになりにくくすることが可能となる。また、処理部Ａ１１１が出力を更新するために消費する電力を軽減することができる。しかも、本方式の場合、映像の更新のタイミングと、字幕の更新のタイミングと一致するため、字幕と関連した映像が表示されやすくなるという効果がある。例えば、テレビドラマの台詞が字幕データとして放送される場合は、台詞が変わる度に映像も更新されるため、ドラマの内容を把握できる更新頻度を保ちつつ、映像の更新頻度を落とすことが可能となる。また、字幕の更新される頻度が低ければ低いほど、映像が更新される頻度もそれに伴い低くなり、よりユーザの眼にかかる負担が軽減され、乗り物酔いが一層軽減される。
【００４０】
なお、字幕および映像の表示するタイミングの変更例として、図１１のように、字幕が表示された瞬間に、その直前の映像フレームであるＩＤＲフレーム３０１の映像と字幕を共に表示する構成としてもよい。この場合、処理部Ａ１１１は、全てのフレームの映像データを一時的に保持し、字幕データの更新があれば保持した映像データを出力し、字幕データが更新されなければ出力する映像データを更新しない。また、図１２のように、字幕データを表示するタイミングをその直後の映像フレーム３０２aの映像と同時に表示する構成としてもよい。これらの処理は、字幕データ３０３に付されたＰＴＳと、それぞれの映像フレームのＰＴＳを比較することにより行う。
【００４１】
以上、各間引き処理によると、再生される動画の動きが少なくなるため、乗り物酔いが軽減される。各実施例によると画像を再生するレートは落としつつ、音声および字幕は通常のレートで再生するため、携帯端末の利用者は、画像の動きが少ない状態においても、字幕および音声から動画の内容を把握しながらコンテンツを視聴することができる。
【００４２】
また、３つの間引き処理を任意に組合わせることも可能である。例えば、間引き処理１と間引き処理３と組合わせて、字幕が更新される場合及び字幕が所定の時間更新されない場合に映像の更新を行う構成としてもよい。この処理は、例えば、処理部Ａ１１１が字幕の更新される時刻および最後に字幕が更新されてからの経過時間を取得し、現在時刻と比較することにより行う。この構成によると、字幕の頻繁に更新されるシーンでは字幕の更新に合わせて映像が更新され、字幕の更新頻度が低いシーンでは所定の時間ごとに映像が更新されることとなる。これにより、ユーザは内容を把握しつつ眼にかかる負担を軽減することができる。
【００４３】
また、間引き処理２と間引き処理３とを組合わせてもよい。つまり、映像デコード部１０９が、ＩＤＲフレーム３０１のうち、字幕データ３５０に付されたＰＴＳの直前あるいは直後の時刻を示すＰＴＳを付されたものをデコードして出力する構成を採ってもよい。眼にかかる負担が軽減されるほか、デコード処理によって映像デコード部１０９が消費する電力も軽減される。
【００４４】
また、本明細書において、一つの機能が二以上の物理的手段により実現されても、二以上の機能が一つの物理的手段により実現されてもよい。
【００４５】
また、本実施例の携帯端末１００は、一部の機能を外部装置によって実現してもよい。例えば、図１３のように外部装置に映像や音声を出力する構成としてもよいし。図１４のように、トランスポートストリーム３１０を外部装置からインターフェースを通じて入力する構成としてもよい。
【図面の簡単な説明】
【００４６】
【図１】携帯端末１００の構成例を示したブロック図である。
【図２】表示モード３５０の構成例を示した図である。
【図３】表示モードの切り替えボタンの一例を示した図である。
【図４】間引き処理１を示したフローチャートである。
【図５】トランスポートストリーム、および、映像ストリームデータの一例を示した図である。
【図６】間引き処理２を示したフローチャートである。
【図７】間引き処理３における字幕データ、映像データの表示制御の一例を示した図である。
【図８】表示管理データ３５０の構成の一例を示した図である。
【図９】字幕提示処理の一例を示したフローチャートである。
【図１０】間引き処理３の一例を示したフローチャートである。
【図１１】間引き処理３における字幕データ、映像データの表示制御の一例を示した図である。
【図１２】間引き処理３における字幕データ、映像データの表示制御の一例を示した図である。
【図１３】携帯端末１００の構成例を説明したブロック図である。
【図１４】携帯端末１００の構成例を説明したブロック図である。
【符号の説明】
【００４７】
１００−携帯端末、
１０１−入力部、
１０２−ＲＯＭ、
１０３−ＲＡＭ、
１０４−制御部、
１０５−チューナ部、
１０６−復調部、
１０７−ＴＳデコード部、
１０８−音声デコード部、
１０９−映像デコード部、
１１０−字幕デコード部、
１１１−処理部Ａ、
１１２−処理部Ｂ、
１１３−バス、
１１４−スピーカ、
１１５−表示部。
【図１】
2007318369.tif 000003
【図２】
2007318369.tif 000004
【図３】
2007318369.tif 000005
【図４】
2007318369.tif 000006
【図５】
2007318369.tif 000007
【図６】
2007318369.tif 000008
【図７】
2007318369.tif 000009
【図８】
2007318369.tif 000010
【図９】
2007318369.tif 000011
【図１０】
2007318369.tif 000012
【図１１】
2007318369.tif 000013
【図１２】
2007318369.tif 000014
【図１３】
2007318369.tif 000015
【図１４】
2007318369.tif 000016